【手続補正書】
【提出日】平成16年5月12日(2004.5.12)
【手続補正１】
【補正対象書類名】明細書
【補正対象項目名】特許請求の範囲
【補正方法】変更
【補正の内容】
【特許請求の範囲】
【請求項１】
情報記録機械の記憶媒体の制御トラックへの情報記録方法において、記録されるべきデータ（Ｘ）が、磁気テープの上記制御トラック内におけるデータの曖昧性のない検出を可能にするよう、かつさらに、現存している上記制御トラックへの書込みのための規範と衝突しないようなタイプの符号化データ（Ｙ）へ変換されることを特徴とし、上記情報記録方法によって、上記データ（Ｘ）の上記符号化データ（Ｙ）への上記変換は、以下のルールに従って行われることを特徴とする記憶媒体の制御トラックへの情報記録方法。
ａ）連続する論理ゼロ“０”の数及び論理１“１”の数の各々を、最大値ｍａｘに限定すること。
ｂ）上記最大値ｍａｘは、上記制御トラックをマークするのに用いられる、他の規範において用いられる、連続するゼロ“０”、又は１“１”のいかなる可能な組合せの連続する論理ゼロ”０”の数および論理１“１”の数の各々よりも小さくなければならないこと。
ｃ）かつ、上記符号化データ前、及び後の上記データ検出を、オンに切り換えるためのヘッダ、及びオフに切り換えるためのヘッダを配置すること。
【請求項２】
請求項１に記載の記憶媒体の制御トラックへの情報記録方法において、
上記制御トラックは記録の間、情報アイテムの論理ゼロ“０”によって占められることを特徴とする記憶媒体の制御トラックへの情報記録方法。
【請求項３】
請求項１に記載の記憶媒体の制御トラックへの情報記録方法において、
上記ヘッダは以下のルールに従って形成されることを特徴とする記憶媒体の制御トラックへの情報記録方法。
ｉ）上記データ検出をオンに切り換えるための上記ヘッダは、Ｎ個の論理ゼロ“０”からなり、ここで、ｍｉｎＮ＝ｍａｘ＋１であり、論理１“１”、又は第１のデータブロックの任意の代表的なデータパターンがこれに続く。
ｉｉ）上記データ検出をオフに切り換えるための上記ヘッダは、Ｎ個の連続する論理ゼロ“０”、又は任意の代表的なデータパターン、若しくはデータストリームの定義されたビット数からなる。
【請求項４】
請求項３に記載の記憶媒体の制御トラックへの情報記録方法において、
上記論理１“１”、又は上記データ検出をオンに切り換えるための上記ヘッダの第１のデータブロックの代表的なパターンは、上記連続するデータブロックの符号化の構成部分であることを特徴とする記憶媒体の制御トラックへの情報記録方法。
【請求項５】
請求項１に記載の記憶媒体の制御トラックへの情報記録方法において、
上記符号化されたデータブロックは、固定長Ｚ≧Ｎを有することを特徴とする記憶媒体の制御トラックへの情報記録方法。
【請求項６】
請求項１または請求項２に記載の記憶媒体の制御トラックへの情報記録方法において、
上記データフォーマットは、ＣＴＬトラックのＶＩＳＳ及びＶＡＳＳ符号化（ビデオインデックスサーチシステム、及びビデオアドレスサーチシステム）用のＶＨＳ仕様、すなわち論理ゼロ“０”用の６０：４０のＣＴＬパルスのマーク−スペース比、及び論理１“１”用の２７．５：７２．５のマーク−スペース比に対応することを特徴とする記憶媒体の制御トラックへの情報記録方法。
【手続補正２】
【補正対象書類名】明細書
【補正対象項目名】０００５
【補正方法】変更
【補正の内容】
【０００５】
【課題を解決するための手段】
この発明（請求項１）に係る記憶媒体の制御トラックへの情報記録方法は、情報記録機械の記憶媒体の制御トラックへの情報記録方法において、記録されるべきデータ（Ｘ）が、磁気テープの上記制御トラック内におけるデータの曖昧性のない検出を可能にするよう、かつさらに、現存している上記制御トラックへの書込みのための規範と衝突しないようなタイプの符号化データ（Ｙ）へ変換されるようにしたものであり、上記情報記録方法によって、上記データ（Ｘ）の上記符号化データ（Ｙ）への上記変換は、以下のルールに従って行われるようにしたものである。
ａ）連続する論理ゼロ“０”の数及び論理１“１”の数の各々を、最大値ｍａｘに限定すること。
ｂ）上記最大値ｍａｘは、上記制御トラックをマークするのに用いられる、他の規範において用いられる、連続するゼロ“０”、又は１“１”のいかなる可能な組合せの連続する論理ゼロ”０”の数および論理１“１”の数の各々よりも小さくなければならないこと。
ｃ）かつ、上記符号化データ前、及び後の上記データ検出を、オンに切り換えるためのヘッダ、及びオフに切り換えるためのヘッダを配置すること。
この請求項１による方法により、上述の目的が達成される。
【手続補正３】
【補正対象書類名】明細書
【補正対象項目名】０００８
【補正方法】変更
【補正の内容】
【０００８】
この発明（請求項３）に係る記憶媒体の制御トラックへの情報記録方法は、請求項１に記載の記憶媒体の制御トラックへの情報記録方法において、上記ヘッダは以下のルールに従って形成されるようにしたものである。
ｉ）上記データ検出をオンに切り換えるための上記ヘッダは、Ｎ個の論理ゼロ“０”からなり、ここで、ｍｉｎＮ＝ｍａｘ＋１であり、論理１“１”、又は第１のデータブロックの任意の代表的なデータパターンがこれに続く。
ｉｉ）上記データ検出をオフに切り換えるための上記ヘッダは、Ｎ個の連続する論理ゼロ“０”、又は任意の代表的なデータパターン、若しくはデータストリームの定義されたビット数からなる。
【手続補正４】
【補正対象書類名】明細書
【補正対象項目名】０００９
【補正方法】変更
【補正の内容】
【０００９】
この発明（請求項４）に係る記憶媒体の制御トラックへの情報記録方法は、請求項３に記載の記憶媒体の制御トラックへの情報記録方法において、上記論理１“１”、又は上記データ検出をオンに切り換えるための上記ヘッダの第１のデータブロックの代表的なパターンは、上記連続するデータブロックの符号化の構成部分であるようにしたものである。
【手続補正５】
【補正対象書類名】明細書
【補正対象項目名】００１０
【補正方法】変更
【補正の内容】
【００１０】
この発明（請求項５）に係る記憶媒体の制御トラックへの情報記録方法は、請求項１に記載の記憶媒体の制御トラックへの情報記録方法において、上記符号化されたデータブロックは、固定長Ｚ≧Ｎを有するようにしたものである。
【手続補正６】
【補正対象書類名】明細書
【補正対象項目名】００１１
【補正方法】変更
【補正の内容】
【００１１】
この発明（請求項６）に係る記憶媒体の制御トラックへの情報記録方法は、請求項１または請求項２に記載の記憶媒体の制御トラックへの情報記録方法において、上記データフォーマットは、ＣＴＬトラックのＶＩＳＳ及びＶＡＳＳ符号化（ビデオインデックスサーチシステム、及びビデオアドレスサーチシステム）用のＶＨＳ仕様、すなわち論理ゼロ“０”用の６０：４０のＣＴＬパルスのマーク−スペース比、及び論理１“１”用の２７．５：７２．５のマーク−スペース比に対応するようにしたものである。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】